(57)【特許請求の範囲】
【請求項１】
折り曲げ罫線（Ｌｖ）を挟んで連設された四側面部（１，２，３，４）の上下縁部にそれぞれ折り曲げ罫線（Ｌｈ）を挟んで上下蓋部（６、６）が連設されてなるシート（Ｓ）を、前記四側面部（１，２，３，４）の一側端に設けられた糊代面部（５）を他側端に固着して筒体となし、この筒体の上下の開口に上下蓋部（６，６）を折り重ねて六面体に組み立てられる包装用ケースにおいて、
前記上下蓋部（６，６）が、一対の内フラップ（７，７）と、
根本部分が細幅にくびれていて先端側が扇状に広がった舌状の差し込み片（８ａ）を先端に設けてなる外蓋（８）と、
前記差し込み片（８ａ）が係入する切込み部（９ａ）が蓋面内に形成された中蓋（９）とからなり、
前記切り込み部（９ａ）は、その全体が前記差し込み片（８ａ）が挿入可能な長さを有し、その中央部（９ａ１）の前記差し込み片（８ａ）の根本部分が挿通する長さの部分を、前記折り曲げ罫線（Ｌｈ）側から中蓋（９）の先端側に向けて弓形に湾曲乃至く字形に屈曲した形状となし、且つその両側（９ａ２，９ａ２）を当該湾曲乃至屈曲部の端部から中蓋（９）の先端側へ屈曲して斜め直線状に延びた形状に形成されており、
前記筒体の開口面内に折り曲げた内フラップ（７，７）に中蓋（９）と外蓋（８）を折り重ね、外蓋（８）の差し込み片（８ａ）を中蓋（９）の切込み部（９ａ）に差し込み、当該差し込まれた差し込み片（８ａ）の根本部分が切込み部（９ａ）に沿って湾曲乃至屈曲して中蓋（９）の下側に入り込んだ差し込み片（８ａ）の広幅な舌状部分全体が湾曲乃至屈曲した形状に保形されて舌状部分が中蓋（９）の下面と内フラップ（７，７）とに係合することで、前記開口が閉鎖されるように設けた構成を有することを特徴とする包装用ケース。
【請求項２】
切込み部（９ａ）を長穴形状に設けたことを特徴とする請求項１に記載の包装用ケース。
【請求項３】
外蓋（８）の先端に複数の差し込み片（８ａ）を設けるとともに、中蓋（９）の蓋面内に前記差し込み片（８ａ）が係入する複数の切込み部（９ａ）を設けたことを特徴とする請求項１又は２に記載の包装用ケース。
【発明の詳細な説明】
【技術分野】
【０００１】
本発明は、化粧品や日用品、その他の物品を収納して販売や展示に供するのに好適な包装用ケースに関する。
【背景技術】
【０００２】
化粧品などの小間物を包装する容器として、透明度の高いプラスチックにより成形されたシートを所定形状に打ち抜き、これをその表面に形成された折り曲げ罫線に沿って折り曲げて六面体に組み立てられるケースが利用されている。
【０００３】
図９はその一例を示しており、このケースは、四側面部１１，１２，１３，１４と糊代面部１５と上下蓋部１６，１６とを連設させたシートＳを、その表面に形成された折り曲げ罫線Ｌで折り曲げるとともに糊代面部１５を右側面部１３の端部に固着して筒体となし、この筒体の上下開口に、上下蓋部１６，１６を構成する、左右側面部１３，１４の上下縁部に設けた内フラップ１７，１７と背面部１２の上下縁部に設けた外蓋１８とをそれぞれ折り重ね、さらに正面部１１の上下縁部の中央に突設させた係合片１９を外蓋１８の差し込み片１８ａに形成された係止スリット１８ｂに差し込むことにより前記上下開口を閉鎖して箱形に組み立てられるようになっている（例えば特許文献１参照）。
【０００４】
また、図１０（Ａ）に示されるように、正面部１１の上端に折り曲げ罫線Ｌを挟んで中蓋２０を連設するとともに、この中蓋２０に外蓋１８の先端に設けた係合片１９が係入する係止スリット２０ａを形成し、ケースの上部開口に内フラップ１７，１７、中蓋２０及び外蓋１８を折り重ね、係合片１９を前記係止スリット２０ａに差し込んで中蓋２０の下側に係合させることにより前記上部開口を閉鎖する構成のケースも知られている（例えば特許文献２参照）。
【先行技術文献】
【特許文献】
【０００５】
【特許文献１】特開２０００−８５７４７号公報
【特許文献２】特開２００４−３５２２７３号公報
【発明の概要】
【発明が解決しようとする課題】
【０００６】
前記図９に示されたケースは係合片１９が差し込み片１８ａに、前記図１０に示されたケースは係合片１９が中蓋２０にそれぞれ係合することにより、ともに外蓋１８を閉鎖位置に保持してケースの開口を確実に閉じることが可能である。
【０００７】
しかし、図９に示されたケースは、外蓋１８を閉鎖位置に保持できたとしても、ケースに収納する物品の形状や大きさ、重量によっては物品を収納した状態でケースの胴部が膨らんで差し込み片１８ａと正面部１１の内面との間に大きな隙間ができ、この隙間から塵埃や異物がケース内部に入り込んでしまうことがあった。
また、物品を包装したケースを運搬したり展示したりしている際にケースが捻れるなどして係合片１９が係止スリット１８ｂから抜けて外蓋１８が開いてしまうことがあり、開封防止のためには外蓋１８を粘着テープなどで留め付けて係合片１９を係止スリット１８ｂ内に固定させる必要があった。
【０００８】
図１０に示されたケースは、ケースの上部開口を内フラップ１７，１７と中蓋２０と外蓋１８とを多重に重ねて閉鎖できるものの、中蓋２０の係止スリット２０ａがその折り曲げ罫線Ｌから若干の距離を開けた位置に設けてあるので、同図（Ｂ）に示されるように、係合片１９を係止スリット２０ａに差し込んだ状態で正面部１１の内面と係止スリット２０ａとの間に隙間Ｓができ、係止スリット２０ａが直線状に形成されていることと相俟って、ケース運搬中などに中蓋２０の下方で係合片１９ががたついて係止スリット２０ａから抜けてしまうことがあり、このものも開封防止用の粘着テープで外蓋１８を留め付ける必要があった。
【０００９】
本発明は従来技術の有するこのような問題点に鑑み、所定形状のシートを折り曲げて六面体に組み立てられる包装用ケースにおいて、ケースの開口を蓋部で確実に密閉し、粘着テープなどの止着手段を用いなくとも、ケース開口を閉鎖した蓋部を閉鎖位置に固定して、ケースを搬送している間などに加わる衝撃や力によってはケースが開封することのないようにすることを課題とする。
【課題を解決するための手段】
【００１０】
前記課題を解決するため本発明は、折り曲げ罫線を挟んで連設された四側面部の上下縁部にそれぞれ折り曲げ罫線を挟んで上下蓋部が連設されてなるシートを、前記四側面部の一側端に設けられた糊代面部を他側端に固着して筒体となし、この筒体の上下の開口に上下蓋部を折り重ねて六面体に組み立てられる包装用ケースにおいて、
前記上下蓋部が、一対の内フラップと、
根本部分が細幅にくびれていて先端側が扇状に広がった舌状の差し込み片を先端に設けてなる外蓋と、
前記差し込み片が係入する切込み部が蓋面内に形成された中蓋とからなり、
前記切り込み部は、その全体が前記差し込み片が挿入可能な長さを有し、その中央部の前記差し込み片の根本部分が挿通する長さの部分を、前記折り曲げ罫線側から中蓋の先端側に向けて弓形に湾曲乃至く字形に屈曲した形状となし、且つその両側を当該湾曲乃至屈曲部の端部から中蓋の先端側へ屈曲して斜め直線状に延びた形状に形成されており、
前記筒体の開口面内に折り曲げた内フラップに中蓋と外蓋を折り重ね、外蓋の差し込み片を中蓋の切込み部に差し込み、当該差し込まれた差し込み片の根本部分が切込み部に沿って湾曲乃至屈曲して中蓋の下側に入り込んだ差し込み片の広幅な舌状部分全体が湾曲乃至屈曲した形状に保形されて舌状部分が中蓋の下面と内フラップとに係合することで、前記開口が閉鎖されるように設けた構成を有することを特徴とする。
【００１１】
前記構成の包装用ケースにおいて、差し込み片は外蓋に連設した根本部分を細幅にくびれた形状、それよりも先端側を広幅な舌状に形成される。また、切込み部は前記差し込み片が挿入し得る長さであって、差し込み片の根本部が挿入する部分、つまり切込み部の中央部は弓形に湾曲した形状、或いは「く」字形に屈曲した形状に設けて形成される。
これによれば、差し込み片は、その全体を切込み部に沿った形状に変形させて切込み部に差し込まれ、差し込んだ状態で、差し込み片はその根本部分が切込み部に沿って湾曲乃至屈曲するため、差し込み片の中蓋の下側に入り込んだ広幅な舌状部分全体が湾曲乃至屈曲した形状に保形され、当該舌状部分を中蓋の下面と内フラップとにそれぞれ確実に係合させて差し込み片は切込み部から抜け難くいものとなる。
また、差し込み片が係入する切込み部は、正面部の縁部ではなく中蓋の面内に設けてあるので、外蓋の差し込み片を切込み部に差し込むと、切込み部は外蓋で覆われ、外蓋の下側に隠れてケースの外側に露出せず、切込み部に差し込んだ差し込み片が抜け難くなる。この場合、切込み部を中蓋の折り曲げ罫線に近接させて設け、より好ましくは折り曲げ罫線から中蓋の先端方向にシートの肉厚分程度の距離を開けた位置に設ければ、切込み部に差し込み片を差し込むと正面部の内面に差し込み片が重なって接合し、差し込み片の抜き外しがより困難となってケースは開封がし難い構造のものとなる。
【００１２】
箱形に組み立てられた本発明のケースは、上下の蓋部が、一対の内フラップと中蓋と外蓋との四枚のフラップにより構成され、これらをケースの開口に折り重ねて開口を多重に閉鎖し、外蓋の先端に設けた差し込み片を中蓋に形成された切込み部に差し込んで中蓋に係合させることで、多重に重なった四枚のフラップが閉鎖位置に保持され、ケース開口を確実に閉じることができる。外蓋を中蓋に被せた状態でケースの開口はその周囲が四枚のフラップで囲われるので、外蓋と四側面との間に隙間ができることはなく、ケース内部は確実に密閉される。
前記構成において、切込み部は湾曲乃至屈曲した部分を有して、差し込み片が挿入し得る幅の筋状や長穴形状に形成することができ、また、差し込み片と切込み部をそれぞれ外蓋と中蓋に位置対応させて複数箇所設けてもよい。
【００１３】
前記構成において、ケースを構成するシートの材質としては、耐折性が良好なポリエチレンテレフタレート、ポリプロピレン、ポリエチレン、ポリカーボネート、或いはポリ乳酸などの生物由来性樹脂、その他の樹脂単体又はこれらの複合体からなるプラスチックシートを用いることができる。特にポリエチレンテレフタレート製のシートは、透明性が良好で剛性が高い点で好ましく、中でもアモルファスＰＥＴ（Ａ−ＰＥＴ）は、より透明性が良好で且つ未延伸であるためシートの方向に関係なく強度が高い点で好ましい。
シートの肉厚は、０．１〜０．８ｍｍに設定することができる。０．１ｍｍより薄いと面部の折れ曲がりや破損を来しやすくなり、０．８ｍｍよりも厚いと折り曲げ加工に要する圧力は大となる。耐折性や剛性などを考慮すると、０．２〜０．６ｍｍに設定することが好ましい。
シートに付設される折り曲げ罫線の種類は問わず、ミシン目などのスリットを断続させた罫線や凹穴状の押し罫線、Ｖ字やＵ字状、台形状の溝を断続又は連続させた罫線、溝内を二段溝状とした二段罫線、筋状の溝を平行に近接配置した罫線などシートを罫線に沿って折り曲げることが可能な適宜な種類の罫線をケースの寸法やシートの材質、剛性、厚みなどに応じて適宜に設定することができる。
【図面の簡単な説明】
【００１４】
【図１】本発明の一実施形態の包装用ケースを構成するシートの展開図である。
【図２】図１のシートの要部拡大図である。
【図３】外蓋の差し込み片と中蓋の切込み部を拡大して示した図である。
【図４】図１のシートを折り曲げて包装用ケースを組み立てるときの（Ａ）は中蓋を折り重ねた状態、（Ｂ）は外蓋を折り重ねた状態の外観を示した図である。
【図５】差し込み片を切込み部に差し込んだ状態のケースの内部透過図である。
【図６】外蓋を折り重ねた状態の上蓋部の要部切断端面図である。
【図７】（Ａ），（Ｂ）はそれぞれ中蓋に形成する切込み部の他の形態を示した図である。
【図８】本発明の包装用ケースの他の実施形態の上蓋部の外観を示した図である。
【図９】従来の包装用ケースにおける（Ａ）はシート展開図、（Ｂ）はケースの外観図である。
【図１０】従来の包装用ケースの他例における（Ａ）は外観図、（Ｂ）は外蓋を折り重ねた状態の上蓋部の要部切断端面図である。
【発明を実施するための形態】
【００１５】
本発明の好適な実施形態を図面に基づいて説明する。
本発明の包装用ケースは、折り曲げ罫線を挟んで連設された四側面部の上下縁部にそれぞれ折り曲げ罫線を挟んで上下蓋部が連設されてなるシートを、四側面部の一側端に設けられた糊代面を他側端に固着して筒体となし、この筒体の上下の開口に上下蓋部を折り重ねて六面体に組み立てられるケースであり、図１は本発明の一実施形態のケースを展開したシートの構成を示している。
【００１６】
このシートＳは、各々矩形の板面からなる、正面部１、背面部２、左右側面部３，４及び糊代面部５の各面部が縦方向の折り曲げ罫線Ｌｖを挟んで連設され、前記四側面部の上下縁部に横方向の折り曲げ罫線Ｌｈを挟んで上下蓋部６，６を連設させた形状に設けてある。
【００１７】
上下蓋部６，６は、左右側面部３，４の上下縁部に連設させた内フラップ７，７と、背面部２の上下縁部に連設させた外蓋８と、正面部１の上下縁部に連設させた中蓋９とにより構成してある。
【００１８】
詳しくは、図２及び図３に示されるように、外蓋８は、その折り曲げ罫線Ｌｈから先端部までの長さＨが左右側面部３，４の幅ＤよりもシートＳの肉厚Ｔ分だけ短く（Ｈ＝Ｄ−Ｔ）なるように設けられ、その先端中央部には、根本部分が細幅にくびれていて先端側が扇状に広がった舌状の差し込み片８ａを折り曲げ罫線Ｌｖを挟んで連設してある。
【００１９】
中蓋９は、外蓋８と略同じ長さで正面部１の縁部から突出していて、その面内中央であって折り曲げ罫線Ｌｈから前記シートＳの肉厚Ｔだけ離れた位置にスリット状の切込み部９ａを形成してある。
より詳しくは、図３に示されるように、切込み部９ａは、その全体が差し込み片８ａが挿入可能な長さを有するとともに、その中央部９ａ１が差し込み片８ａの根本部分が挿通する長さの部分を折り曲げ罫線Ｌｈ側から中蓋９の先端側に向かって弓形に膨らんだ湾曲形状をなし、且つその両側９ａ２，９ａ２が当該湾曲部の端部から中蓋９の先端側へ屈曲して斜め直線状に延びた形状に形成してある。
【００２０】
このように形成されたシートＳは、各折り曲げ罫線Ｌｖに沿って四側面部１，２，３，４を折り曲げるとともに、正面部１の側端に設けた糊代面部５を右側面部３の側端部に接着剤などで一体に固着して筒体となし、この筒体の上下の開口に、図４に示されるように、折り曲げ罫線Ｌｈに沿って内折れさせた内フラップ７，７と中蓋９を折り重ね、次いで中蓋９に折り重ねた外蓋８の差し込み片８ａを切込み部９ａに差し込んで係入させることにより箱形に組み立てられる。
【００２１】
外蓋８を中蓋９に折り重ねて差し込み片８ａを切込み部９ａに差し込んだ状態で、図５に示されるように、差し込み片８ａは、中蓋９の下側で切込み部９ａの湾曲した中央部９ａ１に沿って全体が湾曲し、且つ図６に示されるように、正面部１の内面に重なって接合して、その湾曲した広幅な舌状部分が中蓋９の下面と内フラップ７，７とに確実に係合するので、外蓋８は前記筒体の開口を閉鎖する位置に確実に保持されてケース内部は密閉される。外蓋８を止着するための粘着テープなどの止着手段は不要である。
また、切込み部９ａは外蓋８で覆われ、外蓋８の下側に隠れてケースの外側に露出しないので差し込み片８ａが抜け難くなり、ケースの搬送中などにケースに衝撃や力が加わってもケースが開封することはない。
【００２２】
前記構成の包装用ケースにおいて、差し込み片８ａを切込み部９ａから抜け難くするため、図７に示されるように、切込み部９ａの全体を屈曲した形状に設けたり、長穴形状に設けたりしてもよい。また、図８に示されるように、差し込み片８ａと切込み部９ａを、外蓋８と中蓋９に位置対応させて複数箇所設けてもよい。
【００２３】
なお、図示したケースは本発明の実施形態の一例を示すものであり、本発明の包装用ケースはこれに限定されず、収納する物品の大きさや形状、包装の態様などに応じて適宜な形態で構成することが可能である。
【符号の説明】
【００２４】
Ｓ  シート、１  正面部、２  背面部、３，４  左右側面部、５  糊代面部、６  蓋部、７  内フラップ、８  外蓋  ８ａ  差し込み片、９  中蓋、９ａ  切込み部、Ｌｖ  縦の折り曲げ罫線、Ｌｈ  横の折り曲げ罫線
【図１】
0005607377.tif 000002
【図２】
0005607377.tif 000003
【図３】
0005607377.tif 000004
【図４】
0005607377.tif 000005
【図５】
0005607377.tif 000006
【図６】
0005607377.tif 000007
【図７】
0005607377.tif 000008
【図８】
0005607377.tif 000009
【図９】
0005607377.tif 000010
【図１０】
0005607377.tif 000011